(57)【要約】【課題】組み付け作業を容易にすると共に、組み付け後には指針導光部の先端部の変形を防止して、先端面から前方への漏れ光を確実に遮断することができる指針及び指針キャップを提供する。【解決手段】指針キャップ１の開口面における指針導光部２の先端部に対応する部分だけは、先端覆設部１１ａにより覆われている。これにより、この先端覆設部１１ａに指針導光部２の先端部を差し込むようにして、指針導光部２を指針キャップ１に装着することができる。したがって、組み付け作業が容易になる。また、取り付け後には、先端覆設部１１ａにより、指針導光部２の先端部の変形が防止される。したがって、先端面から前方への漏れ光を確実に遮断することができる。【選択図】図４
2005331455.tif 000002
【特許請求の範囲】
【請求項１】
所定光源により照明されると共に、所定計測値に基づく所定角度だけ回動されて文字板上の所定表示意匠を指示する指針であって、
前記光源からの光を先端部に向けて導光する先細り針状の指針導光部と、
前記文字板に対向する側を開口面として前記指針導光部の上方を覆う指針キャップと、
前記開口面における、前記指針導光部の先端部に対応する部分のみを覆うように形成された先端覆設部と、
を有することを特徴とする指針。
【請求項２】
請求項１記載の指針において、
前記指針キャップの先端面と平行に、前記先端覆設部よりも前記文字板に近接するように、片状に突設された先端突片壁、
を更に有することを特徴とする指針。
【請求項３】
所定光源により照明されると共に、所定計測値に基づく所定角度だけ回動されて文字板上の所定表示意匠を指示する指針に用いられ、光源からの光を先端部に向けて導光する先細り針状の指針導光部の前記文字板に対向する側を開口面として前記指針導光部の上方を覆う指針キャップであって、
前記開口面における、前記指針導光部の先端部に対応する部分のみを覆うように形成された先端覆設部、
を有することを特徴とする指針キャップ。
【発明の詳細な説明】
【技術分野】
【０００１】
本発明は、所定光源により照明されると共に、所定計測値に基づく所定角度だけ回動されて文字板上の所定表示意匠を指示する指針及びこの指針に用いられて指針導光部の上方を覆う指針キャップに関する。
【背景技術】
【０００２】
通常、自動車をはじめとする乗り物には、速度やエンジン回転等を指示する計器が搭載されている。更に、この種の計器には、所定光源により照明されると共に、ムーブメントによって、速度やエンジン回転等の所定計測値に基づく所定角度だけ回動されて文字板上の速度やエンジン回転等に対応する所定表示意匠を指示する指針が含まれている。
【０００３】
図６は、この種の計器に含まれる従来の指針を示す分解斜視図である。図７（Ａ）及び図７（Ｂ）は、従来の指針の問題点を説明するための図である。
【０００４】
図６に示す従来の指針の指針導光部８２は、通常、透明の樹脂製であり、図示しない光源からの光を受光部８２ａで受けて、この光を先端部に向けて導光する先細り針状に形成されている。指針導光部８２の基端部には、回転運動を安定させるためのウエイト８２ｂが積載されている。なお、指針導光部８２の下面には、図示しないホットスタンプ層が形成されており、このホットスタンプ層の色調に基づいて、指針導光部８２は光輝する。
【０００５】
指針キャップ８１は、通常、黒色の樹脂製であり、図示しない文字板に対向する側を開口面として指針導光部８２の上方を覆う。指針キャップ８１の先端面は、指針導光部８２の先端面から前方への光の漏れを防止するために、下方に折り曲げられた折曲部８１ａが形成されている。また、指針キャップ８１の上面は、上記光輝する指針導光部８２からの光を上方に通過させるめのスリット８１ｂも形成されている。固定部８３は、指針導光部８２を指針キャップ８１に固定するための固定片８３ｂを有すると共に、ムーブメントの回転軸が挿通される指針袴８３ａを有する。固定部８３は、通常、指針全体の軽量化や簡素化等のために、指針導光部８２の基端部近傍のみにあてがわれている。
【０００６】
このような構造の指針において、指針導光部８２は光源からの光を受光部８２ａで受けて、この光を先端部に向けて導光する。すなわち、指針導光部８２を進行する光は、指針導光部８２内を反射しつつ指針導光部８２の先端面に向かって進行していく。これにより、指針導光部８２は、ホットスタンプ層に基づいた色調で光輝する。図６のような構成の指針は、下記特許文献１にも示されている。
【０００７】
なお、この出願の発明に関連する先行技術文献情報としては次のものがある。
【特許文献１】特開２００３−２４７８７０号公報
【特許文献２】特開平１１−３７８０５号公報
【発明の開示】
【発明が解決しようとする課題】
【０００８】
上述のように、指針導光部８２を進行していき指針導光部８２の先端面に到達した光は、図７（Ａ）で示すような正常時には、指針キャップ８１の折曲部８１ａにより遮られ、この先端面から前方に漏れることがない。
【０００９】
ところが、指針導光部８２の先端部は自重や経年変化等により、図７（Ｂ）で示すように、下方に落ち込むように変形することがある。そうすると、指針導光部８２の先端面に到達した光は、図７（Ｂ）のＲ３で示すように、この先端面から前方に漏れてしまう。この結果、光が漏れた箇所の近傍の見栄えが低下することになる。
【００１０】
特に、見やすいメータということで、近年、文字板は大型化の傾向にあり、これにともない指針も長くなる傾向にある。したがって、指針導光部８２が変形する可能性は、以前より高くなっている。
【００１１】
このような変形を防止するために、図８に示すような、底板９３を追加した指針も提案されている。図８は、他の従来の指針を示す分解斜視図である。
【００１２】
図８に示す指針導光部９２では、指針袴９２ａが一体形成されている。指針導光部９２の下面には、図示しないホットスタンプ層が形成されており、このホットスタンプ層の色調に基づいて、指針導光部９２は光輝する。
【００１３】
指針キャップ９１は、図示しない文字板に対向する側を開口面として指針導光部９２の上方を覆う。指針キャップ９１の先端面も、指針導光部９２の先端面から前方への光の漏れを防止するために、下方に折り曲げられた折曲部９１ａが形成されている。
【００１４】
また、指針キャップ９１の上面は、上記光輝する指針導光部９２からの光を上方に通過させるめのスリット９１ｂが形成されている。また、その基端部には、回転運動を安定させるためのウエイト９１ｄが積載されている。更に、指針キャップ９１には、底板９３の係止片９３ｃに対応する複数の係止孔９１ｃが設けられている。
【００１５】
底板９３は、上記指針キャップの開口面に覆設されて、指針導光部９２全体を指針キャップ９１に固定する。底板９３には、上記指針キャップ９１の係止孔９１ｃに係合する複数の係止片９３ｃが設けられている。なお、指針導光部９２が光輝する際の作用は、上述の従来例と同等である。
【００１６】
このような構成により、図７（Ｂ）に示したような先端面からの漏れ光の問題はある程度解決されるが、上記構造から明らかなように、指針全体が複雑化する。この結果、重量化や組み付け工数増加等にともなうコストアップという他の大きな問題が発生する。なお、厳密には、先端面に穿設された係止孔９１ｃから漏れ光が発生する可能性も依然として残る。図６のような構成の指針は、上記特許文献２にも示されている。
【００１７】
よって本発明は、上述した現状に鑑み、組み付け作業を容易にすると共に、組み付け後には指針導光部の先端部の変形を防止して、先端面から前方への漏れ光を確実に遮断することができる指針及び指針キャップを提供することを課題とする。
【課題を解決するための手段】
【００１８】
上記課題を解決するためになされた請求項１記載の指針は、所定光源により照明されると共に、所定計測値に基づく所定角度だけ回動されて文字板上の所定表示意匠を指示する指針であって、前記光源からの光を先端部に向けて導光する先細り針状の指針導光部と、前記文字板に対向する側を開口面として前記指針導光部の上方を覆う指針キャップと、前記開口面における、前記指針導光部の先端部に対応する部分のみを覆うように形成された先端覆設部と、を有することを特徴とする。
【００１９】
請求項１記載の発明によれば、指針キャップの開口面における指針導光部の先端部に対応する部分だけは、先端覆設部により覆われている。これにより、この先端覆設部に指針導光部の先端部を差し込むようにして、指針導光部を指針キャップに装着することができる。また、取り付け後には、先端覆設部により、指針導光部の先端部の変形が防止される。
【００２０】
上記課題を解決するためになされた請求項２記載の指針は、請求項１記載の指針において、前記指針キャップの先端面と平行に、前記先端覆設部よりも前記文字板に近接するように、片状に突設された先端突片壁、を更に有することを特徴とする。
【００２１】
請求項２記載の発明によれば、指針キャップの先端面と平行に、先端覆設部よりも文字板に近接するように、片状の先端突片壁が突設されている。したがって、先端部下面から前方への漏れ光も遮断することができる。
【００２２】
上記課題を解決するためになされた請求項３記載の指針キャップは、所定光源により照明されると共に、所定計測値に基づく所定角度だけ回動されて文字板上の所定表示意匠を指示する指針に用いられ、光源からの光を先端部に向けて導光する先細り針状の指針導光部の前記文字板に対向する側を開口面として前記指針導光部の上方を覆う指針キャップであって、前記開口面における、前記指針導光部の先端部に対応する部分のみを覆うように形成された先端覆設部、を有することを特徴とする。
【００２３】
請求項３記載の発明によれば、指針キャップの開口面における指針導光部の先端部に対応する部分だけは、先端覆設部により覆われている。これにより、この先端覆設部に指針導光部の先端部を差し込むようにして、指針導光部を指針キャップに装着することができる。また、取り付け後には、先端覆設部により、指針導光部の先端部の変形が防止される。
【発明の効果】
【００２４】
請求項１記載の発明によれば、指針キャップの開口面における指針導光部の先端部に対応する部分だけは、先端覆設部により覆われている。これにより、この先端覆設部に指針導光部の先端部を差し込むようにして、指針導光部を指針キャップに装着することができる。したがって、組み付け作業が容易になる。また、取り付け後には、先端覆設部により、指針導光部の先端部の変形が防止される。したがって、先端面から前方への漏れ光を確実に遮断することができる。
【００２５】
請求項２記載の発明によれば、指針キャップの先端面と平行に、先端覆設部よりも文字板に近接するように、片状の先端突片壁が突設されている。したがって、先端部下面から前方への漏れ光も遮断することができる。
【００２６】
請求項３記載の発明によれば、指針キャップの開口面における指針導光部の先端部に対応する部分だけは、先端覆設部により覆われている。これにより、この先端覆設部に指針導光部の先端部を差し込むようにして、指針導光部を指針キャップに装着することができる。したがって、組み付け作業が容易になる。また、取り付け後には、先端覆設部により、指針導光部の先端部の変形が防止される。したがって、先端面から前方への漏れ光を確実に遮断することができる。
【発明を実施するための最良の形態】
【００２７】
以下、本発明の実施の形態を図面に基づいて説明する。図１は、本発明の一実施形態に係る指針及び指針キャップの斜視図である。図２は、図１のＸ部の断面図である。図３は、図１のＸ部を下からみたときの指針キャップの斜視図である。
【００２８】
図１において、指針キャップ１は、例えば、黒色の樹脂製であり、図示しない文字板に対向する側を開口面として指針導光部２の上方を覆う。指針キャップ１の上面は、上記光輝する指針導光部２からの光を上方に通過させるめのスリット１２が形成されている。
【００２９】
図１において、指針導光部２は、上記従来例と同様、透明の樹脂製であり、図示しないＬＥＤ等の所定光源からの光を受光部２ａで受けて、この光を先端部に向けて導光する先細り針状に形成されている。指針導光部２の基端部には、回転運動を安定させるための図示しないウエイトが積載されている。なお、指針導光部２の下面には、図示しないホットスタンプ層が形成されており、このホットスタンプ層の色調に基づいて、指針導光部２は光輝する。
【００３０】
図１において、指針導光部２の基端部には、指針導光部２を指針キャップ１に固定するための固定部３が取り付けられている。固定部３は、指針導光部２を指針キャップ１に固定する役割を果たすと共に、図示しないムーブメントの回転軸が挿通される筒状の指針袴３ａを有する。固定部３は、図８で示した従来の指針に含まれる底板のように、指針導光部２全体を覆う必要はなく、指針導光部２の基端部のみを固定すればよい。これにより、指針全体の軽量化や簡素化が促進される。
【００３１】
図２及び図３に示すように、指針キャップ１は、指針導光部２の外形に対応した内壁１１ｃを有している。指針キャップ１の先端部には、開口面における、指針導光部２の先端部に対応する部分のみを覆うように形成された先端覆設部１１ａが設けられている。詳しくは、先端覆設部１１ａは、開口面の先端部に架設された橋のような形状をしている。先端覆設部１１ａは、指針導光部２の取り付けの障害にならないような大きさであることが好ましい。なお、指針キャップ１の先端面１１は、従来例と同様、指針導光部２の先端面２１に対応する部分を覆っている。
【００３２】
図２及び図３に示すように、指針キャップ１の先端部には、指針キャップ１の先端面１１と平行に、先端覆設部１１ａよりも（指針が計器に取り付けられたときに）文字板に近接するように、片状の先端突片壁１１ｂが突設されている。この先端突片壁１１ｂは、先端面１１と同等の幅であることが好ましい。また、先端突片壁１１ｂは、指針の回動時に文字板に接触しないような長さであることが必要である。
【００３３】
このような指針キャップ１に指針導光部２を取り付けるときには、先端覆設部１１ａに指針導光部２の先端部を差し込んだ後、指針キャップ１の内壁１１ｃに沿わせるようにして指針導光部２を指針キャップ１に装着する。すなわち、先端覆設部１１ａを利用することにより、組み付け作業が容易になる。そして、指針導光部２を固定するように固定部３を取り付ける。すなわち、先端覆設部１１ａにより指針導光部２の先端部が固定されるので、固定部３は指針導光部２の基端部近傍のみを固定するだけでよくなる。したがって、指針全体の軽量化や簡素化も促進される。
【００３４】
このような構成の指針の作用について、図４を加えて説明する。図４は、本発明の一実施形態に係る指針の作用を説明するための図である。
【００３５】
図示しない光源からの光は、指針導光部２の受光部２ａに入り、図４のＲに示すように、指針導光部２内を反射しつつ指針導光部２の先端面２１に向かって進行していく。これにより、指針導光部２はホットスタンプ層に基づいた色調で光輝する。この色調の光は、スリット１２を上方に通過して、ドライバ等に視認される。これらの作用は、従来例と同等である。
【００３６】
また、図４に示すように、指針導光部２の先端面２１に到達した光Ｒ１は、指針キャップ１の先端面１１で遮断される。すなわち、指針キャップ１に設けられた先端覆設部１１ａにより、指針導光部２が変形することがないので、先端面２１付近に到達した光Ｒ１は確実に遮断される。厳密には、Ｒ２に示すように、指針導光部２内を進行してきた光の一部が、指針導光部２の先端部下面からぬけ出すこともあるが、この光Ｒ２も先端突片壁１１ｂにより遮断される。したがって、指針導光部２の先端部から文字板４への漏れ光が大幅に減少するので、文字板さらには計器全体の見栄えも大幅に向上する。
【００３７】
なお、図５の変形例に示すように、上記指針キャップ１の先端突片壁１１ｂを省いた指針キャップ１′であってもよい。他の構成は上記指針キャップ１と同様とする。このような指針キャップ１′によると、上記光Ｒ２を遮断することはできなくなるが、その他の作用及び効果は指針キャップ１と同様に得られる。加えて、先端突片壁１１ｂがないぶんだけ指針キャップ１より成形が容易になり、低コスト化がより促進される。
【００３８】
このように、本発明の実施形態によれば、組み付け作業を容易にすると共に、組み付け後には指針導光部２の先端部の変形を防止して、先端面から前方への漏れ光を確実に遮断することができる。また、文字板さらには計器全体の見栄えも大幅に向上する。
【００３９】
なお、上記実施形態は、自動車に搭載される計器に適用されることを想定しているが、本発明は、自動車以外の乗り物に搭載される計器にも適用可能である。
【図面の簡単な説明】
【００４０】
【図１】本発明の一実施形態に係る指針及び指針キャップの斜視図である。
【図２】図１のＸ部の断面図である。
【図３】図１のＸ部を下からみたときの指針キャップの斜視図である。
【図４】本発明の一実施形態に係る指針の作用を説明するための図である。
【図５】図１〜図３の実施形態の変形例を示す図である。
【図６】この種の計器に含まれる従来の指針を示す分解斜視図である。
【図７】図７（Ａ）及び図７（Ｂ）は、従来の指針の問題点を説明するための図である。
【図８】他の従来の指針を示す分解斜視図である。
【符号の説明】
【００４１】
１  指針キャップ
２  指針導光部
３  固定部
１１ａ  先端覆設部
１１ｂ  先端突片壁
【図１】
2005331455.tif 000003
【図２】
2005331455.tif 000004
【図３】
2005331455.tif 000005
【図４】
2005331455.tif 000006
【図５】
2005331455.tif 000007
【図６】
2005331455.tif 000008
【図７】
2005331455.tif 000009
【図８】
2005331455.tif 000010